(57)【特許請求の範囲】
【請求項１】
目的地までの経路を探索する経路探索手段と、
前記経路探索手段によって探索された前記経路を車両が走行した場合に、当該車両が前記目的地に到着するまでに要する所要時間の変動量を示す情報を変動情報として設定する変動情報設定手段と、
前記所要時間の変動量に対するユーザの価値観を示す情報を価値観情報として設定する価値観情報設定手段と、
前記変動情報設定手段によって設定された前記変動情報と、前記価値観情報設定手段によって設定された前記価値観情報とに基づいて、前記経路探索手段によって探索された前記経路がユーザの価値観に適合した経路であるか否かを判断する適合度判断手段と、
ユーザが希望する前記目的地への到着時刻を希望到着時刻として設定する希望到着時刻設定手段と、
前記目的地への移動目的を設定する移動目的設定手段と、
前記希望到着時刻設定手段によって設定された前記希望到着時刻および前記移動目的設定手段によって設定された前記移動目的の少なくとも何れか一方に基づいて、前記価値観情報を変化させる価値観情報変化手段と、
を備えることを特徴とする経路探索装置。
【請求項２】
前記価値観情報変化手段は、前記適合度判断手段によって前記所要時間が相対的に短い前記経路がユーザの価値観に適合した経路であると判断されるように、前記価値観情報を変化させることを特徴とする請求項１記載の経路探索装置。
【発明の詳細な説明】
【技術分野】
【０００１】
本発明は、目的地までの経路を探索する経路探索装置に関する。
【背景技術】
【０００２】
この種の経路探索装置として、例えば特許文献１に記載の経路探索装置は、目的地に到着するまでに要する所要時間が最短となる経路を探索し、その経路を表示するものである。
【先行技術文献】
【特許文献】
【０００３】
【特許文献１】特開平７−４９２７３号公報
【発明の概要】
【発明が解決しようとする課題】
【０００４】
ところで、目的地に到着するまでに要する所要時間に対するユーザの価値観は、ユーザごとに異なるものである。また、同一のユーザであっても、所要時間に対する価値観は目的地への移動の目的などに応じて異なってくる。従って、目的地までの所要時間に対する価値観に応じて、最適な経路も異なってくる。
即ち、例えば人との待ち合わせのために移動する場合に待ち合わせ時刻に合わせて目的地に到着したいというユーザにとっては、目的地に到着するまでに要する所要時間が短い経路（待ち合わせ時刻よりも早く目的地に到着してしまう経路）は適していない。また、待ち合わせ時刻よりも早く目的地に到着したいというユーザにとっては、待ち合わせ時刻に合わせて目的地に到着する経路は適していない。
また、例えば宅配業者や運送業者としては、希望する到着時刻に遅れることを回避することはもちろんであるが、希望する到着時刻よりも早く到着してしまうと不都合となる場合もある。そのため、目的地までの所要時間が例えば渋滞などにより大きく変動する可能性のある経路は回避したいという要望がある。
【０００５】
本発明は上述の事情に鑑みてなされたものであり、その目的は、目的地に到着するまでに要する所要時間に対するユーザの価値観を加味した経路を探索することができる経路探索装置を提供することにある。
【課題を解決するための手段】
【０００６】
請求項１の経路探索装置によれば、経路探索手段は、目的地までの経路を探索する。変動情報設定手段は、経路探索手段によって探索された経路を車両が走行した場合に、当該車両が目的地に到着するまでに要する所要時間の変動量を示す情報を変動情報として設定する。価値観情報設定手段は、所要時間の変動量に対するユーザの価値観を示す情報を価値観情報として設定する。適合度判断手段は、変動情報設定手段によって設定された変動情報と、価値観情報設定手段によって設定された価値観情報とに基づいて、経路探索手段によって探索された経路がユーザの価値観に適合した経路であるか否かを判断する。
これにより、目的地に到着するまでに要する所要時間に対するユーザの価値観を加味した経路を探索することができる。
また、希望到着時刻設定手段は、ユーザが希望する目的地への到着時刻を希望到着時刻として設定する。移動目的設定手段は、目的地への移動目的を設定する。価値観情報変化手段は、希望到着時刻設定手段によって設定された希望到着時刻および移動目的設定手段によって設定された移動目的の少なくとも何れか一方に基づいて、価値観情報を変化させる。
これにより、価値観情報をユーザの希望を反映した情報とすることができ、ユーザに適した経路の探索を一層精度良く実行することができる。
【０００９】
請求項２の経路探索装置によれば、価値観情報変化手段は、適合度判断手段によって所要時間が相対的に短い経路がユーザの価値観に適合した経路であると判断されるように、価値観情報を変化させる。
これにより、目的地に早く到着することができる経路を、ユーザの価値観に適合した経路として優先的に選択することができる。
【図面の簡単な説明】
【００１０】
【図１】本発明の第１実施形態に係るものであり、カーナビゲーションシステムの構成を概略的に示すブロック図
【図２】リンク移動時間の統計情報を例示する図
【図３】変動情報を例示する図
【図４】価値観情報を例示する図
【図５】（ａ）は変動情報に価値観情報を重ねた状態を例示する図、（ｂ）は損失密度情報を例示する図
【図６】異なる経路について損失度合いを求める場合を例示する図
【図７】価値観情報の変更パターンを例示する図
【図８】同一の経路について損失度合いを求める場合を例示する図
【図９】カーナビゲーションシステムにおける制御内容を示すフローチャート
【図１０】経路探索処理の内容を示すフローチャート
【図１１】本発明の第２実施形態に係るものであり、希望到着時刻設定画面を示す図
【図１２】移動目的設定画面を示す図
【図１３】価値観情報の変更態様を例示する図
【図１４】価値観情報の変更パターンを例示する図
【図１５】異なる経路について損失度合いを求める場合を例示する図
【図１６】異なる経路について損失度合いを求める場合を例示する図
【図１７】図９相当図
【図１８】本発明の第３実施形態に係るものであり、異なる経路について損失度合いを求める場合を例示する図
【発明を実施するための形態】
【００１１】
（第１実施形態）
以下、本発明の第１実施形態について、図１から図１０を参照しながら説明する。
図１は、カーナビゲーションシステム１の構成を概略的に示している。このカーナビゲーションシステム１は、車両に搭載される車載器としてのナビゲーション装置２と、情報センタ３（経路探索装置に相当）とを備えて構成される。
前記ナビゲーション装置２は、コンピュータ（ＣＰＵ）を主体として構成され全体を制御する制御装置４を備えると共に、その制御装置４に接続されて外部との無線通信を行う通信装置５、自車位置を検出するための位置検出部６、例えばフルカラー液晶ディスプレイからなる表示器７、タッチパネルやメカスイッチを含む操作スイッチ群８、音声出力装置９、地図データベース１０などを備えて構成されている。また、前記制御装置４は記憶手段としての記憶装置１１を有している。記憶装置１１は、例えば不揮発性メモリなどの記憶媒体で構成されている。
【００１２】
前記位置検出部６は、ＧＰＳ用の人工衛星からの送信電波に基づいて自車両の位置を検出（測位）するＧＰＳ（Global Positioning System）のためのＧＰＳ受信機１３、自車両の回転角速度を検出するジャイロセンサ１４、車速度センサ１５などを含んでいる。前記制御装置４は、そのソフトウェア構成（及びハードウェア構成）により、前記位置検出部６を構成する各センサ１３〜１５からの入力に基づいて、自車両の現在位置（絶対位置）、進行方向、速度や走行距離、現在時刻などを高精度で検出する。
そして、その自車の現在位置、及び、前記地図データベース１０から得られる地図データに基づいて、前記表示器７の画面に、自車周辺の道路地図と共に自車の現在位置（及び進行方向）を重ね合せて表示させるロケーション機能を実現する。この場合、一般に、ロケーション機能を実現するにあたっては、自車の位置を、表示される電子地図上の道路に乗せるために、自車の移動軌跡と道路地図データ中の道路形状とを比較照合して、現在走行中の道路を推測するマップマッチングが行われる。
【００１３】
前記地図データベース１０は、例えば日本全土の道路地図データや、それに付随する、各種施設や店舗などの施設データなどを記憶するものである。前記道路地図データは、地図上の道路を、交差点などをノードとして複数の部分に分割し、各ノード間の部分をリンクとして規定したリンクデータとして与えられる。このリンクデータは、リンク固有のリンクＩＤ（識別子）、リンク長、リンクの始点，終点（ノード）の位置データ（経度，緯度）、角度（方向）データ、道路幅、道路種別などのデータを含んで構成される。また、リンクデータは、道路地図を表示器７の画面上に再生（描画）するためのデータも含んでいる。
【００１４】
このナビゲーション装置２の制御装置４は、前記通信装置５により、例えば、図示しない無線基地局及びインターネットなどの通信ネットワークを介して、情報センタ３との間で通信（テレマティクス通信）を行うようになっている。前記通信装置５としては、携帯電話機、ＤＳＲＣ、無線ＬＡＮなど様々なものを採用することができる。
ナビゲーション装置２の制御装置４は、通信装置５により、後述する経路探索リクエスト情報などの各種の情報を情報センタ３に対して送信する。また、ナビゲーション装置２の制御装置４は、情報センタ３から送信される後述する経路情報を通信装置５により取得（受信）する。
さらに、ナビゲーション装置２の制御装置４は、情報センタ３から取得した経路情報に基づいて車両の経路案内を実行する。周知のように、この経路案内は、表示器７の画面に走行すべき経路を道路地図に重ね合わせて表示すると共に、自車位置が所定のポイントに至ったときに音声出力装置９により案内音声を出力することにより行われる。
【００１５】
一方、前記情報センタ３は、コンピュータを主体として構成された制御装置１６を備えると共に、その制御装置１６に接続された、外部との間で無線通信を行う通信手段たる通信装置１７、経路探索に関連する各種情報を記憶する情報記憶部１８、地図データベース１９などを備えて構成されている。情報センタ３の制御装置１６は、ＣＰＵにおいて制御プログラムを実行することにより、経路探索手段、変動情報設定手段、価値観情報設定手段、適合度判断手段をソフトウェアによって仮想的に実現する。前記通信装置１７は、前記ナビゲーション装置２の通信装置５との間の無線通信を行なうようになっている。情報センタ３の制御装置１６は、ナビゲーション装置２から送信される後述する経路探索リクエスト情報を、通信装置１７による通信装置５との通信により取得（受信）する。また、情報センタ３の制御装置１６は、後述する経路情報を通信装置１７により送信する。
【００１６】
また、情報センタ３の制御装置１６は、例えば種々のサーバ２０、ＶＩＣＳセンタ２１（ＶＩＣＳセンター：登録商標）、他の車両２２などから送信されるプローブ情報を通信装置１７により受信可能である。このプローブ情報は、交通情報（渋滞、事故、工事、車線規制、交通規制などの情報）、環境情報（天候、風向き、路面状況などの情報）などの経路探索に有用な最新のデータを含む。また、情報センタ３の制御装置１６は、通信装置１７により受信した各種のプローブ情報を情報記憶部１８に蓄積するようになっている。情報センタ３が備える地図データベース１９には、経路探索用の最新の道路地図データが記憶されている。
【００１７】
前記地図データベース１９は、ナビゲーション装置２が備える地図データベース１０と同様に、例えば日本全土の道路地図データや、それに付随する、各種施設や店舗などの施設データなどを記憶するものである。前記道路地図データは、地図上の道路を、交差点などをノードとして複数の部分に分割し、各ノード間の部分をリンクとして規定したリンクデータとして与えられる。このリンクデータは、リンク固有のリンクＩＤ（識別子）、リンク長、リンクの始点，終点（ノード）の位置データ（経度，緯度）、角度（方向）データ、道路幅、道路種別などのデータを含んで構成される。また、リンクデータは、道路地図をナビゲーション装置２の表示器７の画面上に再生（描画）するためのデータも含んでいる。さらに、リンクデータは、上述のプローブ情報に基づいて設定されたリンク移動時間を示すデータを含んでいる。このリンク移動時間は、そのリンクにおける車両の移動時間（そのリンク全体を車両が走行するのに要する所要時間）である。リンク移動時間を示すデータは、所定の期間にそのリンクを走行した車両から送信される。このリンク移動時間は、その車両が当該リンクを走行したときの渋滞状況や環境状況などによって変動する。情報センタ３の制御装置１６は、多数の車両から受信したリンク移動時間を統計情報として記憶する。そして、記憶したリンク移動時間の平均値を、そのリンクのリンク旅行時間として算出し、算出したリンク旅行時間（多数のリンク移動時間の平均値）とリンク移動時間の分散値（リンク移動時間のばらつき度合いを示すデータ）とを記憶する。
【００１８】
情報センタ３の制御装置１６は、ナビゲーション装置２から経路探索リクエスト情報を受信すると、その経路探索リクエスト情報に含まれるデータと地図データベース１９の道路地図データとに基づいて、指定された出発地（例えば自車両の現在位置）から目的地までの経路を探索する。これにて、ユーザにより指定された目的地までの推奨する走行経路を探索する経路探索機能が実現されるようになっている。この経路探索機能については後に詳細に説明する。そして、制御装置１６は、その経路探索機能により探索した経路を、経路探索リクエスト情報を送信したナビゲーション装置２に送信する。
【００１９】
次に、上記した経路探索機能について図２から図１０を参照しながら詳細に説明する。
まず、図２は、情報センタ３の制御装置１６が記憶するリンク移動時間の統計情報を概念的に示す図である。上述したように、制御装置１６は、多数の車両からプローブ情報として受信したリンク移動時間と、当該リンク移動時間の分散値とを記憶する。従って、リンク移動時間の統計情報は、図２に示すように、リンク移動時間の平均値（リンク旅行時間）とリンク移動時間の分散値（リンク移動時間のばらつき度合い）とに基づく確率モデル（確立密度分布）で表現することができる。制御装置１６は、図２に示すような統計情報を道路地図データに含まれるリンクごとに予め作成し記憶している。なお、制御装置１６は、図２に示すような統計情報を適宜更新し、最新の統計情報を保持するようになっている。
【００２０】
次に、図３は、情報センタ３の制御装置１６が上述の経路探索機能により探索した経路を車両が走行した場合に当該車両が現在地から目的地に到着するまでに要する所要時間の変動量を示す統計情報（変動情報に相当）を概念的に示す図である。図３に示すように、目的地に到着するまでに要する所要時間は、探索された経路を構成する各リンクの統計情報（図２参照）の和により求められる。従って、このように求められる所要時間の統計情報も、図３に示すように、所要時間の平均値と所要時間の分散値とに基づく確率モデル（確立密度分布）で表現することができる。制御装置１６は、探索した経路ごとに、図３に示すような統計情報を作成する。また、制御装置１６は、所要時間の平均値を、目的地に到着するまでに要する予想所要時間（到着予想所要時間）として設定する。また、制御装置１６は、その到着予想所要時間を現在時刻に加算した時刻を到着予想時刻ｔとして設定する。
【００２１】
次に、図４は、目的地に到着するまでに要する所要時間が変動することに対してユーザが「損失した」と感じる度合い（損失度）を示す情報（価値観情報に相当）を概念的に示す図である。この場合、基準点ｋよりも右側の価値観線Ｖ１が目的地に遅着したこと（遅れて到着すること）に対する損失度を示し、基準点ｋよりも左側の価値観線Ｖ２が目的地に早着したこと（早く到着したこと）に対する損失度を示している。価値観線Ｖ１の傾きは、遅着したことに対してユーザが「損失した」と感じる傾向が高いほど大きく設定される。また、価値観線Ｖ２の傾きは、早着したことに対してユーザが「損失した」と感じる傾向が高いほど大きく設定される。なお、図４に示すパターンは、早着したことよりも遅刻したことに対してユーザが「損失した」と感じる傾向が高いパターンである。
【００２２】
次に、図５（ａ）は、図３に示した統計情報（変動情報）に図４に示した情報（価値観情報）を重ねた状態を示している。この場合、情報センタ３の制御装置１６は、価値観情報の基準点ｋの位置を変動情報の到着予想時刻ｔ（所要時間の平均値）の位置に一致させる。
次に、図５（ｂ）は、図５（ａ）に示す状態において、変動情報の値と価値観情報の値とを乗算した情報（損失密度情報に相当）を示す図である。この場合、到着予想時刻ｔ（基準点ｋ）を境界として左右に２つの領域Ｄ１，Ｄ２が形成される。到着予想時刻ｔ（基準点ｋ）よりも右側の領域Ｄ１は遅着したことに対する損失度合い（遅着したことに対してユーザが「損失した」と感じる度合い）を示す領域である。この領域Ｄ１の面積が大きいほど、遅着したことに対してユーザが「損失した」と感じる度合いは大きい。一方、到着予想時刻ｔ（基準点ｋ）よりも左側の領域Ｄ２は早着したことに対する損失度合い（早着したことに対してユーザが「損失した」と感じる度合い）を示す領域である。この領域Ｄ２の面積が大きいほど、早着したことに対してユーザが「損失した」と感じる度合いは大きい。
【００２３】
以上のようにして、制御装置１６は、探索した経路について損失度合いを求める。図６は、異なる経路Ａ，Ｂについてそれぞれ損失度合いを求めた場合の例を示している。図６（ａ）に示す経路Ａは所要時間の分散値（ばらつき度合い）が小さい経路である。一方、図６（ｂ）に示す経路Ｂは所要時間の分散値（ばらつき度合い）が大きい経路である。このように所要時間のばらつき度合いが異なる２つの経路Ａ，Ｂの変動情報にそれぞれ同一の価値観情報（この場合、図４に示す価値観情報）を乗算した場合、所要時間のばらつき度合いが小さい経路Ａについて得られる遅着側の損失度合い（図６（ａ）に示す領域Ｄ１の面積参照）は、所要時間のばらつき度合いが大きい経路Ｂについて得られる遅着側の損失度合い（図６（ｂ）に示す領域Ｄ１の面積参照）よりも小さくなる。従って、早着した場合よりも遅着した場合に「損失した」と感じる傾向が大きいユーザにとっては、経路Ｂよりも、遅着側の損失度合いが小さくなる経路Ａの方が適した経路であると判断できる。
【００２４】
なお、この場合、経路Ａついて得られる早着側の損失度合い（図６（ａ）に示す領域Ｄ２の面積参照）も、経路Ｂについて得られる早着側の損失度合い（図６（ｂ）に示す領域Ｄ２の面積参照）よりも小さくなる。また、経路Ａについて得られる遅着側および早着側の双方を含む全体の損失度合い（図６（ａ）に示す領域Ｄ１，Ｄ２の総面積参照）も、経路Ｂについて得られる遅着側および早着側の双方を含む全体の損失度合い（図６（ｂ）に示す領域Ｄ１，Ｄ２の総面積参照）よりも小さくなる。従って、遅刻した場合よりも早着した場合に「損失した」と感じる傾向が大きいユーザ、或いは、遅刻しても早着しても「損失した」と感じる傾向が大きいユーザにとっても、上記の経路Ａは、経路Ｂよりも適した経路であると判断できる。
【００２５】
なお、上記の価値観情報（所要時間の変動量に対するユーザの価値観を示す情報）は、図４に示すパターンに限られるものではなく、種々のパターンを採用することができる。図７は、価値観情報の変更パターンの例を示している。図７（ａ）は、基準点ｋよりも右側の価値観線Ｖ１（遅着したことに対する価値観を示す）の傾きが極めて大きく、基準点ｋよりも左側の価値観線Ｖ２（早着したことに対する価値観を示す）の傾きが極めて小さいパターンである。このパターンは、例えば「目的地に早く着いても構わないが遅刻することは絶対に回避したい」という価値観を有するユーザに適したパターンである。
図７（ｂ）は、基準点ｋよりも右側の価値観線Ｖ１（遅着したことに対する価値観を示す）の傾きと基準点ｋよりも左側の価値観線Ｖ２（早着したことに対する価値観を示す）の傾きとが同じとなるパターンである。このパターンは、例えば「遅着も早着も回避して到着予想時刻に合わせて目的地に到着したい」という価値観を有するユーザに適したパターンである。
図７（ｃ）は、基準点ｋよりも右側の価値観線Ｖ１（遅着したことに対する価値観を示す）の傾きが小さく、基準点ｋよりも左側の価値観線Ｖ２（早着したことに対する価値観を示す）の傾きが大きいパターンである。このパターンは、図４に示すパターンと逆のパターンであり、例えば「目的地に遅刻することよりも早着することを回避したい」という価値観を有するユーザに適したパターンである。
【００２６】
図８は、同一の経路Ａについて、異なるパターンの価値観情報に基づいて損失度合いを求めた場合の例を示している。なお、図８（ａ）に示す価値観情報は図４に示したパターンであり、図８（ｂ）に示す価値観情報は図７（ｃ）に示したパターンである。このように所要時間のばらつき度合いが同じ経路Ａの変動情報に対して異なるパターンの価値観情報をそれぞれ乗算した場合、図８（ａ）に示す価値観情報に基づいて得られる損失度合いは、遅着側（図８（ａ）に示す領域Ｄ１の面積参照）が大きくなり、早着側（図８（ａ）に示す領域Ｄ２の面積参照）が小さくなる。また、図８（ｂ）に示す価値観情報に基づいて得られる損失度合いは、早着側（図８（ｂ）に示す領域Ｄ２の面積参照）が大きくなり、遅着側（図８（ｂ）に示す領域Ｄ１の面積参照）が小さくなる。このように、同一の経路Ａであっても、損失度合いの演算に際して採用する価値観情報が異なれば、得られる損失度合いも異なるものとなる。従って、損失度合いの演算に際し、ユーザの価値観に適合した価値観情報を用いることにより、そのユーザに最適な経路（所要時間に対するユーザの価値観に適合した経路）を探索することができる。
【００２７】
なお、価値観情報は、この場合、ナビゲーション装置２において設定可能に構成されている。この価値観情報は、例えば、ユーザにより適宜変更して設定できるようにしてもよいし、ナビゲーション装置２が搭載される車両の車種に合わせて予め設定しておくようにしてもよい。また、ナビゲーション装置２の制御装置４に、ユーザの走行特性を学習する学習機能を備え、学習した走行特性に応じて価値観情報を設定するようにしてもよい。また、入力された目的地に応じて価値観情報を設定するようにしてもよい。ナビゲーション装置２の制御装置４は、設定された価値観情報を記憶装置１１に記憶し、記憶した価値観情報を適宜読み出し可能に構成されている。
【００２８】
次に、上述のカーナビゲーションシステム１における制御フローについて図９を参照しながら説明する。
まず、ナビゲーション装置２の制御装置４は、価値観情報を読み出す（ステップＡ１）。そして、制御装置４は、目的地が設定されたか否かを判断する（ステップＡ２）。制御装置４は、目的地が設定されると（ステップＡ２：ＹＥＳ）、経路探索リクエスト情報を送信する（ステップＡ３）。この経路探索リクエスト情報には、少なくとも、ステップＡ１において読み出した価値観情報、車両の現在位置（経路案内の出発地）のデータ、設定された目的地のデータが含まれる。制御装置４は、経路探索リクエスト情報を送信すると、後述する経路情報を受信したか否かを判断する（ステップＡ４）。
【００２９】
一方、情報センタ３の制御装置１６は、各車両からプローブ情報を受信すると（ステップＢ１：ＹＥＳ）、受信したプローブ情報に基づいてリンク移動時間の統計情報（図２参照）を更新する（ステップＢ２）。そして、制御装置１６は、経路探索リクエスト信号を受信したか否かを判断する（ステップＢ３）。制御装置１６は、経路探索リクエスト信号を受信すると（ステップＢ３：ＹＥＳ）、経路探索処理を実行する（ステップＢ４）。
図１０は、経路探索処理の内容を示すフローチャートである。情報センタ３の制御装置１６は、受信した経路探索リクエスト情報に含まれる目的地の情報に基づいて、当該目的地までの経路を複数（この場合、５つ）探索する（ステップＣ１）。次に制御装置１６は、探索した複数の経路について、上述した方法により、それぞれ損失度合いを算出する（ステップＣ２）。そして、制御装置１６は、算出した損失度合いが最小となる経路を最適経路として設定し（ステップＣ３）、この経路探索処理を終了する。
情報センタ３の制御装置１６は、経路探索処理を終了すると、当該経路探索処理により求めた最適経路を表示するための情報（経路情報）を送信し（ステップＢ５）、再び、プローブ情報の受信、或いは、経路探索リクエスト情報の受信の有無を判断する（ステップＢ１，Ｂ３）。
【００３０】
ナビゲーション装置２の制御装置４は、経路情報を受信すると（ステップＡ４：ＹＥＳ）、受信した経路情報に基づいて最適経路を表示器７の画面に表示し、当該最適経路による経路案内を開始する（ステップＡ５）。
【００３１】
以上に説明したように本実施形態によれば、情報センタ３の制御装置１６は、変動情報（経路探索機能によって探索した経路を車両が走行した場合に、当該車両が目的地に到着するまでに要する所要時間の変動量を示す情報）と、価値観情報（所要時間の変動量に対するユーザの価値観を示す情報）とに基づいて、探索された経路がユーザの価値観に適合した経路であるか否かを判断する。これにより、目的地に到着するまでに要する所要時間に対するユーザの価値観を加味した経路を探索することができる。
また、情報センタ３の制御装置１６は、変動情報と価値観情報とに基づいて損失密度情報（所要時間が変動することに対してユーザが「損失した）と感じる度合いを面積で示す情報）を算出し、この損失密度情報の面積の大きさに基づいて、探索された経路がユーザの価値観に適合した経路であるか否かを判断する。これにより、主観的な要素（所要時間の変動量に対するユーザの価値観）を客観的な要素（損失密度情報の面積）に置き換えて経路の適合度を判断することができ、ユーザの価値観を加味した経路の探索を一層精度良く実行することができる。
【００３２】
（第２実施形態）
次に、本発明の第２実施形態について図１１から図１７を参照しながら説明する。
本実施形態では、ナビゲーション装置２の制御装置４は、図１１に示す希望到着時刻設定画面３１を表示器７の画面に表示可能に構成されており、これにより、希望到着時刻設定手段として機能する。また、ナビゲーション装置２の制御装置４は、図１２に示す移動目的設定画面３２を表示器７の画面に表示可能に構成されており、これにより、移動目的設定手段として機能する。希望到着時刻設定画面３１には、ユーザが希望する目的地への到着時刻（希望到着時刻）や時間帯（希望到着時間帯）を入力するための各種の操作キー３１ａおよび入力された希望到着時刻や希望到着時間帯を表示する表示部３１ｂが設けられている。ユーザは、各種の操作キー３１ａを操作することにより、希望する目的地への到着時刻や希望到着時間帯をナビゲーション装置２に入力する。また、移動目的設定画面３２には、目的地への移動目的を入力するための各種の操作キー３２ａが設けられている。ユーザは、各種の操作キー３２ａを操作することにより、目的地への移動目的をナビゲーション装置２に入力する。
【００３３】
ナビゲーション装置２の制御装置４は、ＣＰＵにおいて制御プログラムを実行することにより、価値観情報変化手段をソフトウェアによって仮想的に実現する。即ち、制御装置４は、希望到着時刻設定画面３１を介して入力された希望到着時刻、或いは、移動目的設定画面３２を介して入力された移動目的の少なくとも何れか一方に基づいて価値観情報の価値観線Ｖ１，Ｖ２の傾きや位置を変更する（図１３に示す矢印参照）。図１４は、入力された移動目的に応じた価値観情報の変更パターンの例を示す図である。なお、ナビゲーション装置２の制御装置４は、この場合、図４に示すパターンの価値観情報を基本価値観情報として記憶している。ここで、ナビゲーション装置２の制御装置４が記憶する基本価値観情報は、図４に示すパターンの価値観情報に限られるものではなく、種々のパターンの価値観情報を採用することができる。
【００３４】
例えば、入力された移動目的が「映画・コンサート」や「仕事・会議」である場合には、制御装置４は、基本価値観情報を図１４（ａ）に示すパターンに変更する。このパターンは、入力された希望到着時刻ｔ２に価値観情報の基準点ｋを一致させ（希望到着時刻ｔ２における価値観情報の値を「０」とし）、且つ、遅着側の価値観線Ｖ１の傾きを大きく変更し、早着側の価値観線Ｖ２の傾きを小さく変更したものである。移動目的が「映画・コンサート」や「仕事・会議」である場合、目的地までの所要時間に対してユーザが有する価値観としては「目的地に早く着いても構わないが遅刻することは絶対に回避したい」というものが考えられる。そのため、制御装置４は、基本価値観情報を図１４（ａ）に示すパターンに変更する。
【００３５】
なお、ナビゲーション装置２の制御装置４は、入力された希望到着時間帯ｖに基づいて価値観情報を変更することも可能である。ユーザが宅配業者や運送業者などである場合には、希望到着時刻として特定の時刻を指定するのではなく、希望到着時刻に許容時間を設けたい場合、つまり、特定の時間帯（例えば１９：００〜２１：００など）を指定したい場合がある。そのため、制御装置４は、入力された移動目的が例えば「配達」である場合には、基本価値観情報を図１４（ｂ）に示すパターンに変更する。このパターンは、遅着側の価値観線Ｖ１と早着側の価値観線Ｖ２との間に、入力された希望到着時間帯ｖに応じた間隔を設けたパターンである。
【００３６】
図１５は、異なる経路Ａ，Ｂについてそれぞれ損失度合いを求めた場合の例を示している。図１５（ａ）に示す経路Ａは所要時間の分散値（ばらつき度合い）が小さい経路である。また、この図１５（ａ）に示す例は、経路Ａによる到着予想時刻ｔ１と入力された希望到着時刻ｔ２（当該希望到着時刻ｔ２に一致するように変更された価値観情報の基準点ｋの位置）とが一致する場合の例である。一方、図１５（ｂ）に示す経路Ｂは所要時間の分散値（ばらつき度合い）が大きい経路である。また、この図１５（ｂ）に示す例は、経路Ｂによる到着予想時刻ｔ１と入力された希望到着時刻ｔ２（当該希望到着時刻ｔ２に一致するように変更された価値観情報の基準点ｋの位置）とが異なる場合の例である。
【００３７】
この場合、所要時間のばらつき度合いが小さい経路Ａについて得られる遅着側の損失度合い（図１５（ａ）に示す領域Ｄ１の面積参照）は、所要時間のばらつき度合いが大きい経路Ｂについて得られる遅着側の損失度合い（図１５（ｂ）に示す領域Ｄ１の面積参照）よりも大きくなる。従って、希望到着時刻ｔ２よりも早く到着した場合よりも遅く到着した場合に「損失した」と感じる傾向が大きいユーザにとっては、経路Ａよりも、遅着側の損失度合いが小さくなる経路Ｂの方が適した経路であると判断できる。このように、所要時間のばらつき度合いが大きい経路Ｂであっても、ユーザの希望到着時刻ｔ２に応じて価値観情報の基準点ｋの位置が変化することにより、そのユーザにとって適した経路となる場合がある。
【００３８】
図１６は、異なる経路Ａ，Ｂについて図１４（ｂ）に示した価値観線を適用して損失度合いを求めた場合の例を示している。図１６（ａ）に示す経路Ａは所要時間の分散値（ばらつき度合い）が小さい経路である。また、この図１６（ａ）に示す例は、経路Ａによる到着予想時刻ｔと入力された希望到着時間帯ｖの始点とが一致する場合の例である。一方、図１６（ｂ）に示す経路Ｂは所要時間の分散値（ばらつき度合い）が大きい経路である。また、この図１６（ｂ）に示す例は、経路Ｂによる到着予想時刻ｔが入力された希望到着時間帯ｖ内に含まれる場合の例である。
【００３９】
この場合、所要時間のばらつき度合いが小さい経路Ａについて得られる遅着側および早着側の双方を含む全体の損失度合い（図１６（ａ）に示す領域Ｄ１，Ｄ２の総面積参照）は、所要時間のばらつき度合いが大きい経路Ｂについて得られる遅着側および早着側の双方を含む全体の損失度合い（図１６（ａ）に示す領域Ｄ１，Ｄ２の総面積参照）と同等となる。従って、例えば「配達」を選択したユーザ（宅配業者など）にとっては、経路Ａ，Ｂの何れも適した経路であると判断できる。
【００４０】
次に、本実施形態における制御フローについて図１７を参照しながら説明する。
まず、ナビゲーション装置２の制御装置４は、予め記憶している基本価値観情報を読み出す（ステップＤ１）。そして、制御装置４は、目的地が設定されたか否かを判断する（ステップＤ２）。制御装置４は、目的地が設定されると（ステップＤ２：ＹＥＳ）、希望到着時刻および移動目的の少なくとも何れか一方が設定されたか否かを判断する（ステップＤ３）。制御装置４は、希望到着時刻および移動目的の少なくとも何れか一方が設定されると（ステップＤ３：ＹＥＳ）、価値観情報の変更処理を実行する（ステップＤ４）。この価値観情報の変更処理では、制御装置４は、設定された希望到着時刻および移動目的の少なくとも何れか一方の情報に基づいて、上述したように価値観情報を変更する。なお、制御装置４は、希望到着時刻および移動目的の何れも設定されない場合には（ステップＤ３：ＮＯ）、ステップＤ１において読み出した基本価値観情報を変更することなく保持する。
【００４１】
次に、制御装置４は、経路探索リクエスト情報を送信する（ステップＤ５）。この経路探索リクエスト情報には、少なくとも、ステップＤ１において読み出した基本価値観情報またはステップＤ４において変更した価値観情報、車両の現在位置（経路案内の出発地）のデータ、設定された目的地のデータが含まれる。制御装置４は、経路探索リクエスト情報を送信すると、経路情報を受信したか否かを判断する（ステップＤ６）。そして、ナビゲーション装置２の制御装置４は、経路情報を受信すると（ステップＤ６：ＹＥＳ）、受信した経路情報に基づいて最適経路を表示器７の画面に表示し、当該最適経路による経路案内を開始する（ステップＤ７）。なお、情報センタ３の制御装置１６における制御内容は図９および図１０に示した内容と同様である。
【００４２】
以上に説明したように本実施形態によれば、ナビゲーション装置２の制御装置は、希望到着時刻設定画面３１を介して設定された希望到着時刻および移動目的設定画面３２を介して設定された移動目的の少なくとも何れか一方に基づいて、基本価値観情報を変化させる。これにより、価値観情報をユーザの希望を反映した情報とすることができ、ユーザに適した経路の探索を一層精度良く実行することができる。
【００４３】
（第３実施形態）
次に、本発明の第３実施形態について図１８を参照しながら説明する。
図１８は、異なる経路Ａ，Ｂについてそれぞれ損失度合いを求めた場合の例を示している。図１８（ａ）に示す経路Ａは到着予想時刻（目的地までの所要時間の平均値）が相対的に早い時刻Ｅ１となる経路である。一方、図１８（ｂ）に示す経路Ｂは到着予想時刻（目的地までの所要時間の平均値）が相対的に遅い時刻Ｅ２となる経路である。
この場合、制御装置４は、相対的に早い到着予想時刻Ｅ１となる経路Ａに対しては、遅着側および早着側の双方において価値観情報の価値観線Ｖ１，Ｖ２の傾きを小さく設定する。一方、制御装置４は、相対的に遅い到着予想時刻Ｅ２となる経路Ｂに対しては、遅着側および早着側の双方において価値観情報の価値観線Ｖ１，Ｖ２の傾きを大きく設定する。
【００４４】
このように設定した価値観情報に基づいて経路Ａ，Ｂについてそれぞれ損失度合いを求めると、到着予想時刻Ｅ１が相対的に早い経路Ａについて得られる早着側の損失度合い（図１８（ａ）に示す領域Ｄ２の面積参照）は、到着予想時刻Ｅ２が相対的に遅い経路Ｂについて得られる早着側の損失度合い（図１８（ｂ）に示す領域Ｄ２の面積参照）よりも小さくなる。従って、早着した場合よりも遅刻した場合に「損失した」と感じる傾向が大きいユーザにとっては、経路Ｂよりも、早着側の損失度合いが小さくなる経路Ａの方が適した経路であると判断できる。多くのユーザは、基本的には、目的地に早く到着することを求める傾向がある。そのため、制御装置４は、到着予想時刻Ｅ１が相対的に早い経路Ａに対しては価値観情報の価値観線Ｖ１，Ｖ２の傾きを小さく設定し、これにより、経路Ａについて得られる損失度合いを相対的に小さくする。
【００４５】
なお、この場合、経路Ａついて得られる遅着側の損失度合い（図１８（ａ）に示す領域Ｄ１の面積参照）も、経路Ｂについて得られる遅着側の損失度合い（図１８（ｂ）に示す領域Ｄ１の面積参照）よりも小さくなる。また、経路Ａについて得られる遅着側および早着側の双方を含む全体の損失度合い（図１８（ａ）に示す領域Ｄ１，Ｄ２の総面積参照）も、経路Ｂについて得られる遅着側および早着側の双方を含む全体の損失度合い（図１８（ｂ）に示す領域Ｄ１，Ｄ２の総面積参照）よりも小さくなる。従って、早着した場合よりも遅刻した場合に「損失した」と感じる傾向が大きいユーザ、或いは、遅刻しても早着しても「損失した」と感じる傾向が大きいユーザにとっても、上記の経路Ａは、経路Ｂよりも適した経路であると判断できる。
【００４６】
以上に説明したように本実施形態によれば、ナビゲーション装置２の制御装置４は、情報センタ３の制御装置１６によって到着予想時刻Ｅ１（目的地までの所要時間）が相対的に短い経路Ａがユーザの価値観に適合した経路であると判断されるように、価値観情報を変化させる。これにより、目的地に早く到着することができる経路を、ユーザの価値観に適合した経路として優先的に選択することができる。
【００４７】
（その他の実施形態）
本発明は、上述した各実施形態にのみ限定されるものではなく、例えば次のように変形または拡張することができる。
情報センタ３の制御装置１６は、探索した複数の経路のうちの１つを最適経路として設定して経路情報として送信するのではなく、探索した複数の経路と各経路について算出した損失度合いとを含む情報を経路情報として送信する構成としてもよい。この場合、ナビゲーション装置２の制御装置４は、受信した経路情報に基づいて複数の経路と各経路の損失度合いとを対応付けて表示器７の画面に表示し、ユーザが何れかの経路を選択できる構成とするとよい。
情報センタ３の制御装置１６が備える上述の経路探索機能（本発明に係る機能）をナビゲーション装置２の制御装置４に備えた構成、つまり、ナビゲーション装置２を本発明の経路探索装置としたスタンドアロン構成としてもよい。
価値観情報を構成する価値観線Ｖ１，Ｖ２は、直線状でなくてもよく、例えば曲線状に設定してもよい。
ナビゲーション装置２の制御装置４は、経路探索リクエスト情報に自車両（車体）に関するデータ（車両の種類、排気量、走行性能などを示すデータ）を含むように構成してもよい。そして、この自車両に関するデータも経路探索処理に反映させるようにするとよい。
【符号の説明】
【００４８】
図面中、３は情報センタ（経路探索装置）、４は制御装置（希望到着時刻設定手段、移動目的設定手段、価値観情報変化手段）、１６は制御装置（経路探索手段、変動情報設定手段、価値観情報設定手段、適合度判断手段）を示す。
【図１】
0005454421.tif 000002
【図２】
0005454421.tif 000003
【図３】
0005454421.tif 000004
【図４】
0005454421.tif 000005
【図５】
0005454421.tif 000006
【図６】
0005454421.tif 000007
【図７】
0005454421.tif 000008
【図８】
0005454421.tif 000009
【図９】
0005454421.tif 000010
【図１０】
0005454421.tif 000011
【図１１】
0005454421.tif 000012
【図１２】
0005454421.tif 000013
【図１３】
0005454421.tif 000014
【図１４】
0005454421.tif 000015
【図１５】
0005454421.tif 000016
【図１６】
0005454421.tif 000017
【図１７】
0005454421.tif 000018
【図１８】
0005454421.tif 000019